(57)【要約】【課題】寒冷紗を貼り付ける製本を行わないユーザの余分なコスト負担やスペース負担が少なく、かつ、寒冷紗製本のために必要な装置のコストを従来装置に比べ格段に少なくすることができる無線綴じ製本機を提供する。【解決手段】表紙供給装置４の上部に取り付け可能な寒冷紗供給装置１５のリール４１から一定の長さだけ繰り出された寒冷紗１６が表紙供給装置４のローラ２２ａ、２２ｂの位置まで搬送され、本身クランパ９による本身８の移送に同期して表紙搬送及び整合部５に搬送される。そして、表紙搬入ローラ３０ｂと押圧ローラ３１ｂで挟まれて搬入された寒冷紗１６の後端が、搬送チェーン２３ｂの搬送爪２４によって押されることにより、寒冷紗１６は寒冷紗搬送ガイド４４ａ、４４ｂに沿って表紙貼付ローラ３２の方向に搬送され、この表紙貼付ローラ３２によって本身クランパ９に挟持された本身８の背に寒冷紗１６が貼り付けられる。【選択図】図５
2010284800.tif 000002
【特許請求の範囲】
【請求項１】
本身供給部と、ミーリング部と、糊付け部と、表紙供給装置と、表紙搬送及び整合部と、ニッピング部とを備え、上記本身供給部に供給された本身を本身クランパで挟持して移動し、その本身の背面を上記ミーリング部で揃え、揃えた背面に上記糊付け部で糊付けし、糊付けした背面に上記表紙搬送及び整合部で上記表紙供給装置から供給された表紙を貼り付けた後、上記ニッピング部で締め付けて製本する無線綴じ製本機であって、
上記表紙供給装置の上部に取付け、取外し可能な寒冷紗供給装置を備えているとともに、上記表紙搬送及び整合部の表紙搬送と同面上にテープ状の寒冷紗を搬送する搬送機構を設けたことを特徴とする無線綴じ製本機。
【請求項２】
上記テープ状の寒冷紗を搬送する搬送機構が、上記本身クランパと同期して移動する表紙搬送用爪と同期して駆動される寒冷紗搬送用爪よりなることを特徴とする、請求項１に記載された無線綴じ製本機。
【請求項３】
上記表紙搬送及び整合部の表紙搬送ガイドに取付け、取外し可能な寒冷紗搬送ガイドを備えていることを特徴とする、請求項１または２に記載された無線綴じ製本機。
【発明の詳細な説明】
【技術分野】
【０００１】
本発明は、無線綴じ製本機、特に、本身に寒冷紗を貼り付ける機能を備えた無線綴じ製本機に関する。
【背景技術】
【０００２】
丁合機などによりページ順に一冊分集積した用紙束（以下、本身という）の背面に糊付けし、糊付けした背面に表紙などを貼り付けて本身の背面を綴じる、いわゆる、無線綴じ製本が良く知られている。このような製本を機械的に行う製本機は、一般的に、本身供給部、本身の背面をミーリング刃により揃えるミーリング部、本身の背面に糊ローラにより糊付けする糊付け部、表紙を供給する表紙供給装置、糊付けした本身の背面に表紙を貼り付ける表紙搬送及び整合部、表紙が貼着された本身を締め付けるニッピング部を順に配置し、各部を移動する本身クランパを設けて構成されている。
【０００３】
すなわち、無線綴じ製本機は、本身供給部に供給された本身を本身クランパで挟持して移動し、その本身の背面をミーリング部で揃え、揃えた背面に糊付け部で糊付けし、糊付けした背面に表紙搬送及び整合部で表紙供給装置から供給された表紙を貼り付け、ニッピング部のニッピング板で表紙が貼着された本身ののど部を締め付けて製本するように構成されている。
【０００４】
一方、本の背固めや本の中身と表紙のつなぎとして寒冷紗が使用されることがある。この寒冷紗は粗く織った布のことであり、本の中身と表紙のつなぎとして用いると、寒冷紗の網目状のところに糊がしみこんで本身と表紙とをしっかりとつなぐ役割を果たすことができる。
この補強用寒冷紗としては、綿かレーヨンの寒冷紗を使用することが多く、特に上製本と呼ばれるハード表紙の単行本や厚手幅広の辞書の背の補強用には綿の寒冷紗が使用され、電話帳の背には粗い目のレーヨン寒冷紗が使用されている。
【０００５】
このような寒冷紗を製本機に供給する方法として、ロール状に巻いた寒冷紗に粘着テープを貼り付け、一定長さに切断した後、本身クランパに挟持された本身に貼付ける専用装置を製本機に取り付けるようにしたものがある（例えば、特許文献１参照）。
【０００６】
また、複数の本身クランパが水平面の長円軌道を旋回する方式の無線綴じ製本機では、糊付け部の後に寒冷紗を貼付ける専用装置を設けた無線綴じ製本機もある。この無線綴じ製本機は、図７に示すように、本身供給部１、ミーリング部２、糊付け部３、寒冷紗供給装置１７、表紙供給装置４、表紙搬送及び整合部５、ニッピング部６、排出部７よりなり、本身８を挟持した本身クランパ９が本身供給部１〜排出部７間を順に移動するように構成されている。寒冷紗供給装置１７は、冊子の背長より大きい幅でロール状に巻いた寒冷紗１８を、本身クランパ９と直角方向に繰り出し、切断した後、本身８に貼り付けるようになっている。
【先行技術文献】
【特許文献】
【０００７】
【特許文献１】米国特許第６，２５０，８６８号明細書
【発明の概要】
【発明が解決しようとする課題】
【０００８】
上記のように糊付け部の後に、寒冷紗を貼付ける専用装置を設けると、その装置が不要で外したときでもそのスペースが必要となり、機械全体が長くなる欠点がある。また、別の方法として、リールに巻いた幅の狭いテープ状の寒冷紗を送り出す装置を、背をプレス成型するニッピング部の前に装備し、本身クランパの進行方向に下方から繰り出しと切断と貼付けを行うものもあるが、この場合は寒冷紗専用の搬送及び貼付け機構が必要になり、ニッピング部の手前に巻きリールや送り機構を収納するスペースの確保が困難となる、という問題があった。
【０００９】
本発明は、上記の課題を解決するために創案されたものであり、寒冷紗を貼り付ける製本を行わないユーザの余分なコスト負担やスペース負担が少なく、かつ、寒冷紗製本のために必要な装置のコストを従来装置に比べ格段に少なくすることができる無線綴じ製本機を提供することを目的とする。
【課題を解決するための手段】
【００１０】
本発明の請求項１に係る無線綴じ製本機は、本身供給部と、ミーリング部と、糊付け部と、表紙供給装置と、表紙搬送及び整合部と、ニッピング部とを備え、上記本身供給部に供給された本身を本身クランパで挟持して移動し、その本身の背面を上記ミーリング部で揃え、揃えた背面に上記糊付け部で糊付けし、糊付けした背面に上記表紙搬送及び整合部で上記表紙供給装置から供給された表紙を貼り付けた後、上記ニッピング部で締め付けて製本する無線綴じ製本機であって、上記表紙供給装置の上部に取付け、取外し可能な寒冷紗供給装置を備えているとともに、上記表紙搬送及び整合部の表紙搬送と同面上にテープ状の寒冷紗を搬送する搬送機構を設けたことを特徴とする。
【００１１】
また、本発明の請求項２に係る無線綴じ製本機は、上記の請求項１に係る無線綴じ製本機において、上記テープ状の寒冷紗を搬送する搬送機構が、上記本身クランパと同期して移動する表紙搬送用爪と同期して駆動される寒冷紗搬送用爪よりなることを特徴とする。
さらに、本発明の請求項３に係る無線綴じ製本機は、上記の請求項１または２に係る無線綴じ製本機において、上記表紙搬送及び整合部の表紙搬送ガイドに取付け、取外し可能な寒冷紗搬送ガイドを備えていることを特徴とする。
【発明の効果】
【００１２】
本発明に係る無線綴じ製本機によれば、寒冷紗を貼り付ける製本が必要になった場合、通常の製本時に貼り付ける表紙を供給する表紙供給装置の上方に、リールに巻いたテープ状の寒冷紗を供給する寒冷紗供給装置をセットし、表紙搬送及び整合部の表紙搬送ガイドに寒冷紗搬送ガイドを取り付けることにより、表紙搬送用爪と同期して駆動される寒冷紗搬送用爪によって表紙搬送と同面上を幅の狭い表紙を搬送するがごとくに寒冷紗を送り出して本身の背に貼り付けることができる。したがって、寒冷紗専用の搬送及び貼付け機構が不要となるので、寒冷紗製本のために必要なスペース及び装置のコストを大幅に削減することができる。
【図面の簡単な説明】
【００１３】
【図１】本発明の無線綴じ製本機の概要を示す図である。
【図２】図１の無線綴じ製本機の表紙供給装置の構造を示す図である。
【図３】図１の無線綴じ製本機の表紙搬送及び整合部の詳細な構造を示す図である。
【図４】図１の無線綴じ製本機の表紙供給装置の上方に寒冷紗供給装置を取り付けた状態を示す図である。
【図５】寒冷紗供給装置を取り付けた表紙供給装置と表紙搬送及び整合部の詳細な構造を示す図である。
【図６】表紙搬送ガイドに寒冷紗搬送ガイドを取り付けた状態の拡大図である。
【図７】糊付け部の後に寒冷紗を貼付ける専用装置を設けた従来の無線綴じ製本機の概略を示す図である。
【実施例】
【００１４】
図１は本発明の無線綴じ製本機の概略の構成を示す図であり、図に示すように、無線綴じ製本機は、本身供給部１、ミーリング部２、糊付け部３、表紙供給装置４、表紙搬送及び整合部５、ニッピング部６、排出部７よりなり、本身８を挟持した本身クランパ９が本身供給部１〜排出部７間を順に移動するように構成されている。
【００１５】
本身供給部１は、例えば、丁合機搬送部１０等から搬送されてきた本身８を本身クランパ９の可動クランプ板と固定クランプ板（図示せず）の間に挿入し、挿入された本身８を可動クランプ板の固定クランプ板側への移動、すなわち本身クランパ９を閉じて本身８を本身クランパ９に挾持させる、本身の製本処理開始工程を実行する。
【００１６】
ミーリング部２は、本身供給部１で本身クランパ９に挾持された本身８の背面をミーリング刃（図示せず）により面一に揃える、本身のミーリング処理工程を実行する。また、糊付け部３は、ミーリング部２で面一に揃えられた本身８の背面に糊付け機（図示せず）により糊付けする、本身の糊付け処理工程を実行する。ミーリング部２及び糊付け部３での作業は、本身８を本身クランパ９に挾持させたままで本身クランパ９の移動とともに行われる。
【００１７】
表紙供給装置４は、表紙１１を表紙搬送及び整合部５に供給するものであり、図２に示すように、適宜枚数の表紙１１を収容するトレイ２１と、表紙を１枚ずつ搬送する搬送機構（図示せず）と、表紙１１を所定のタイミングで送り出す一対のローラ２２ａ、２２ｂとにより構成されている。
【００１８】
また、表紙搬送及び整合部５は、表紙１１を搬送するとともに、表紙１１を本身クランパ９に挟持された本身８の背面に貼り付ける表紙貼付け工程を実行する。
図３は表紙搬送及び整合部５の詳細構造を示す図であり、図３（ａ）は上面図、図３（ｂ）は図３（ａ）のＡ−Ａ’断面図である。この表紙搬送及び整合部５は搬送チェーン２３ａ、２３ｂ、２３ｃ、搬送爪２４、駆動スプロケット２５ａ、２５ｂ、２５ｃ、従動スプロケット２６ａ、２６ｂ、２６ｃ、２７ａ、２７ｂ、２７ｃ、テンションスプロケット２８ａ、２８ｂ、２８ｃ、２９ａ、２９ｂ、２９ｃ、表紙搬入ローラ３０ａ、３０ｂ、３０ｃ、押圧ローラ３１ａ、３１ｂ、３１ｃ、表紙貼付けローラ３２、表紙搬送ガイド３３ａ、３３ｂにより構成されている。
【００１９】
搬送チェーン２３ａ〜２３ｃは、表紙１１を搬入する表紙搬入ローラ３０ａ〜３０ｃと同軸上に固定した従動スプロケット２６ａ〜２６ｃ、従動スプロケット２７ａ〜２７ｃ及びテンションスプロケット２８ａ〜２８ｃ、２９ａ〜２９ｃに掛け渡され、駆動スプロケット２５ａ〜２５ｃの回転駆動により、これらのスプロケットを経て周回移動する。一方、搬送チェーン２３a〜２３ｃには、所定の間隔を隔てて搬送爪２４が取り付けられており、搬送チェーン２３a〜２３ｃの移動により搬送爪２４が移動する。なお、搬送チェーン２３a、２３ｃに取り付けられた搬送爪２４が表紙搬送用爪であり、搬送チェーン２３ｂに取り付けられた搬送爪２４が寒冷紗搬送用爪である。
【００２０】
そして、表紙搬入ローラ３０ａ〜３０ｃと押圧ローラ３１ａ〜３１ｃで挟まれて搬入された表紙１１の後端が搬送爪２４で表紙搬送ガイド３３ａ、３３ｂに沿って押し進められ、表紙１１が表紙貼付ローラ３２の方向に搬送される。なお、表紙搬送ガイド３３ａ、３３ｂは表紙サイズに応じて搬送幅を自動的に変更することができ、この表紙搬送ガイド３３ａ、３３ｂの上部に寒冷紗搬送ガイドをセットするための位置決めピン３４ａ、３４ｂが設けられている。
【００２１】
搬送チェーン２３a〜２３ｃの移動速度、すなわち搬送爪２４の移動速度は本身クランパ９の移動速度に合わされ、当初、搬送爪２４の位置は、表紙貼付けローラ３２上において本身クランパ９に挟持する本身８の表紙貼付け位置の後端となるように設定されている。この設定により、本身クランパ９に挟持された本身８の適宜の表紙貼付け位置に搬送爪２４により押し進められる表紙１１を貼り付けることができる。
【００２２】
一方、ニッピング部６は、背面に表紙１１が貼着された本身８の背面側の縁辺部近傍を二つのニップ板（図示せず）により両側から締め付けて表紙１１を折り込み、表紙１１を本身８に沿わせる締め付け処理工程を実行する。
また、排出部７は、本身クランパ９を開くことにより、本身クランパ９から解放された表紙の貼着された本身を排出する、排出処理工程を実行する。
【００２３】
なお、本身クランパ９は、適宜の間隔で連結ベアリング（図示せず）を介してチェ−ン１２に複数組連結されており、駆動スプロケット１３と従動スプロケット１４に架け渡されたチェ−ン１２を矢印方向に回動することにより、本身クランパ９が本身供給部１〜排出部７間の各処理部を循環する。
【００２４】
次に、本発明の無線綴じ製本機の作用について簡単に説明する。
丁合機搬送部１０から製本機に搬送されてきた本身８は、本身供給部１に搬入され、本身クランパ９により挟持される。本身クランパ９により挟持された本身８は、次にミ−リング部２に移送され、本身８がミ−リング部２のミーリング刃（図示せず）上を通過するときにその背面を切削加工されて面一に揃えられ、背面に糊が全面に均等に付着されるように前処理の加工がなされる。なお、本身８への糊付けを良好にするために、用紙束の背面に細かい溝を形成する刃をミ−リング部２に設けることもある。
【００２５】
次に、背面が面一に揃えられた本身８は糊付け部３に送られ、この糊付け部３には、糊タンク内に糊を収納すると共に糊付けロ−ラ（図示せず）が設けられており、本身８の背面に糊付け処理が行われ、余分な糊は掻き取りロ−ラ（図示せず）で除去される。糊付け処理が終わると、本身８は表紙搬送および整合部５に送られる。
【００２６】
一方、表紙供給装置４は、適宜枚数の表紙１１を収容するトレイ２１から表紙を１枚ずつ搬送機構により、ローラ２２ａ、２２ｂの位置まで搬送し、このローラ２２ａ、２２ｂにより、表紙１１が所定のタイミングで表紙搬送および整合部５に送り出される。
【００２７】
そして、表紙搬送および整合部５では、表紙１１が表紙搬入ローラ３０ａ〜３０ｃと押圧ローラ３１ａ〜３１ｃによって挟まれて搬入された後、表紙１１の後端が搬送爪２４によって押されることにより、表紙１１が表紙搬送ガイド３３ａ、３３ｂに沿って表紙貼付ローラ３２の方向に搬送され、この表紙貼付ローラ３２によって本身クランパ９に挟持された本身８に表紙１１が貼り付けられる。なお、この表紙貼付け時には、搬送チェーン２３ｂに取り付けられた搬送爪２４は倒され、搬送チェーン２３a、２３ｃに取り付けられた搬送爪２４により表紙が搬送される。
表紙１１が貼着された本身８は次にニッピング部６に搬送され、二つのニップ板により両側から締め付けられて表紙１１が折り込まれ、締め付け処理がなされる。締め付け処理がなされた本身８は、排出部７で本身クランパ９から解放された後、次工程に搬送される。
【００２８】
一方、本発明の無線綴じ製本機は表紙供給装置の上部に取付け、取外し可能な寒冷紗供給装置を備えており、以下、本身に寒冷紗を貼り付ける製本が必要になった場合の作用について説明する。
本身に寒冷紗を貼り付ける製本が必要になった場合、図４に示すように、表紙供給装置４の上方に、寒冷紗供給装置１５をセットする。図５は、寒冷紗供給装置１５を表紙供給装置４の上にセットした状態の詳細構造を示す図であり、寒冷紗供給装置１５は、テープ状の寒冷紗が巻かれたリール４１、切断カッター４２、複数の搬送ローラ４３よりなり、リール４１から一定の長さだけ繰り出された寒冷紗１６が切断カッター４２によりカットされた後、搬送ローラ４３により表紙供給装置４のローラ２２ａ、２２ｂの位置まで搬送され、このローラ２２ａ、２２ｂにより、寒冷紗１６が所定のタイミングで表紙搬送および整合部５に送り出される。
【００２９】
表紙搬送及び整合部５の構造については、図３により説明したが、寒冷紗を本身に貼り付ける製本が必要になった場合には、図６に示すように、表紙搬送ガイド３３ａ、３３ｂにそれぞれ複数個設けられた位置決めピン３４ａ、３４ｂに合わせて寒冷紗搬送ガイド４４ａ、４４ｂを取り付けるとともに、搬送チェーン２３ｂに取り付けられた搬送爪２４を起こす。
図６において、３５は表紙サイズに応じて表紙搬送ガイド３３ａ、３３ｂの搬送幅を変更するための移動ネジであり、この移動ネジ３５をモータ等で駆動することにより、使用する寒冷紗の幅に応じて寒冷紗搬送ガイド４４ａ、４４ｂの搬送幅も自動的に変更することができる。なお、３６はチェーン駆動スプロケット２５ａ〜２５ｃを駆動する駆動軸である。
【００３０】
次に、本身に寒冷紗を貼り付ける場合の作用について説明する。なお、本身供給部１、ミーリング部２、糊付け部３での作用は本身に表紙を貼り付ける場合の作用と同じであるので、説明を省略する。
寒冷紗供給装置１５において、上記したように、リール４１から一定の長さだけ繰り出された寒冷紗１６が切断カッター４２によりカットされた後、搬送ローラ４３により表紙供給装置４のローラ２２ａ、２２ｂの位置まで搬送される。そして、このローラ２２ａ、２２ｂにより、一定長さの寒冷紗１６が、本身クランパ９による本身８の移送に同期して表紙搬送及び整合部５に搬送される。
【００３１】
そして、表紙搬入ローラ３０ｂと押圧ローラ３１ｂで挟まれて搬入された寒冷紗１６の後端が、図６に示すように、搬送チェーン２３ｂの搬送爪２４によって押されることにより、寒冷紗１６は寒冷紗搬送ガイド４４ａ、４４ｂに沿って表紙貼付ローラ３２の方向に搬送され、この表紙貼付ローラ３２によって本身クランパ９に挟持された本身８の背に寒冷紗１６が貼り付けられる。寒冷紗１６が貼り付けられた本身８は次にニッピング部６に搬送され、二つのニップ板により両側から締め付けられて寒冷紗１６が折り込まれ、締め付け処理がなされる。締め付け処理がなされた本身８は、排出部７で本身クランパ９から解放された後、次工程に搬送される。
【００３２】
以上のように、寒冷紗を貼り付ける製本が必要になった場合、通常の製本時に貼り付ける表紙を供給する表紙供給装置４の上方に、リールに巻いたテープ状の寒冷紗を供給する寒冷紗供給装置１５をセットし、表紙搬送及び整合部５の表紙搬送ガイド３３ａ、３３ｂに寒冷紗搬送ガイド４４ａ、４４ｂを取り付けることにより、表紙搬送用爪と同期して駆動される寒冷紗搬送用爪２４によって、表紙搬送と同面上を幅の狭い表紙を搬送するがごとくに寒冷紗１６を送り出して本身８の背に貼り付けることができる。
【００３３】
なお、上記の実施例では、丁合機から搬送された本身を製本する製本機について説明したが、本発明は本身を手差しする製本機にも適用することができる。また、上記の実施例では、チェーンに取り付けた搬送爪により表紙あるいは寒冷紗を搬送したが、チェーンの代わりに、搬送爪としての突起が付いたベルトを使用している製本機にも本発明を適用することができる。
【００３４】
さらに、上記の実施例では、表紙貼付け時に、搬送チェーン２３ｂに取り付けられた搬送爪２４を倒すようにしたが、搬送チェーン２３ｂに取り付けられた搬送爪２４を取り外し可能とし、寒冷紗搬送時のみ、搬送チェーン２３ｂに搬送爪２４を取り付けるようにすることもできる。
【符号の説明】
【００３５】
１  本身供給部
２  ミーリング部
３  糊付け部
４  表紙供給装置
５  表紙搬送及び整合部
６  ニッピング部
７  排出部
８  本身
９  本身クランパ
１０  丁合機搬送部
１１  表紙
１２  チェーン
１３  駆動スプロケット
１４  従動スプロケット
１５  寒冷紗供給装置
１６  寒冷紗
３３ａ、３３ｂ  表紙搬送ガイド
４１  テープ状の寒冷紗が巻かれたリール
４２  切断カッター
４３  搬送ローラ
４４ａ、４４ｂ  寒冷紗搬送ガイド
【図１】
2010284800.tif 000003
【図２】
2010284800.tif 000004
【図３】
2010284800.tif 000005
【図４】
2010284800.tif 000006
【図５】
2010284800.tif 000007
【図６】
2010284800.tif 000008
【図７】
2010284800.tif 000009